(57)【要約】【課題】貫通孔が壁部の中央からずれた位置に形成された構成であっても、弁体による貫通孔の開閉性を良好にできる蓄電装置を提供する。【解決手段】二次電池は、蓋１４の内面１４ｘに対し、貫通孔１４ｈを開閉可能に取り付けられた弁体１６を備える。蓋１４は長方形状であり、貫通孔１４ｈは蓋１４の短手方向の中央Ｃからずれた位置に配置される。弁体１６は、貫通孔１４ｈを開閉する薄板状の弁部１６ａと、蓋１４の内面１４ｘに固定された固定部１６ｂと、弁部１６ａと固定部１６ｂとを接続する薄板状の接続部１６ｃとを有する。固定部１６ｂは、蓋１４の短手方向の中央Ｃよりも弁部１６ａ側に位置する。接続部１６ｃの一部は、蓋１４の短手方向の中央Ｃに対して弁部１６ａとは反対側に位置する。接続部１６ｃは、弁部１６ａを一端Ｌ１とし、固定部１６ｂを他端Ｌ２として弁部１６ａと固定部１６ｂとを最短距離で繋いだ仮想線Ｌ上に存在しない。【選択図】図２
2020102413.tif 000002
【特許請求の範囲】
【請求項１】
電極組立体と、
前記電極組立体を収容するとともに、壁部に貫通孔が形成され、内部にヘリウムが充填されたケースと、
前記壁部の内面に対し、前記貫通孔を開閉可能に取り付けられた弁体と、
を備え、
前記貫通孔が形成された前記壁部は長方形状であり、前記貫通孔は、前記壁部の短手方向の中央からずれた位置に配置され、
前記弁体は、前記貫通孔を開閉する薄板状の弁部と、前記壁部の内面に固定された固定部と、前記弁部と前記固定部とを接続する薄板状の接続部とを有し、
前記固定部は、前記壁部の短手方向の中央よりも前記弁部側に位置し、
前記接続部は、少なくとも一部が前記壁部の短手方向の中央に対して前記弁部とは反対側に位置するとともに、前記弁部を一端とし、前記固定部を他端として前記弁部と前記固定部とを最短距離で繋いだ仮想線上に存在しないことを特徴とする蓄電装置。
【請求項２】
前記弁部と前記固定部とは、前記壁部の長手方向に間隔を空けて並び、
前記接続部は、
前記弁部から前記壁部の長手方向に延びる第１直線部と、
前記第１直線部における前記弁部とは反対側の端部から前記壁部の短手方向に延びる第２直線部と、
前記第２直線部における前記第１直線部とは反対側の端部から前記壁部の長手方向に延びるとともに、前記第１直線部と前記壁部の短手方向に並ぶ第３直線部と、
前記第３直線部における前記第２直線部とは反対側の端部から前記固定部に向けて前記壁部の短手方向に延びる第４直線部と、
から構成されている請求項１に記載の蓄電装置。
【請求項３】
前記弁体は１枚の板ばねであり、
前記弁部における前記壁部側の面には、ゴム系樹脂製のシール部材が取り付けられている請求項１又は請求項２に記載の蓄電装置。
【請求項４】
前記弁部における前記貫通孔と重なる部分は、前記ケースの外部に向けた凸部である請求項１又は請求項２に記載の蓄電装置。
【請求項５】
前記弁体は、紫外線硬化性樹脂製であり、前記弁部における前記貫通孔を取り囲む部分に前記壁部の内面に密接した状態で硬化された硬化部を備える請求項１又は請求項２に記載の蓄電装置。
【発明の詳細な説明】
【技術分野】
【０００１】
本発明は、ケースの壁部に形成された貫通孔を開閉可能な弁体を備える蓄電装置に関する。
【背景技術】
【０００２】
電装品や走行用モータで使用される電力を蓄えるための蓄電装置として、リチウムイオン二次電池などの二次電池が、ＥＶ（Electric Vehicle）やＰＨＶ（Plug in Hybrid Vehicle）などの車両に搭載されている。例えば、二次電池は、集電体の両面又は片面に活物質層を有する電極が積層された電極組立体と、電解液と、電極組立体及び電解液を収容するケースとを備える。ケースは、直方体状のケース本体と、ケース本体の開口部を閉塞するとともに貫通孔が形成された長方形状の蓋とを有する。蓋の貫通孔は、封止部材によって封止される。ケースは、二次電池の使用時にケースの内部で発生するガスによって膨張し、変形することがある。このとき、蓋の変形量は、蓋の短手方向の端部よりも中央で多くなる。このため、二次電池の使用時に蓋が変形しても封止部材による貫通孔の封止が確保されるように、蓋の短手方向の中央からずれた変形量の少ない位置に貫通孔を配置することがある。
【０００３】
このような二次電池の製造工程は、ケースの内部に電極組立体を収容し、貫通孔からケースの内部に電解液に注入する注液工程と、注液工程後に貫通孔を仮封止部材によって仮封止する仮封止工程とを備える。また、二次電池の製造工程は、蓄電装置の活性化、安定化等を図るため、初期充放電を行う初期充放電工程を備える。初期充放電工程では、１回の充電又は複数回の充放電を行うコンディショニング、及び必要に応じて恒温状態で所定期間の保管を行うエージングといった処理を行う。二次電池の製造工程は、貫通孔から仮封止部材を除去して仮封止を解除することで、初期充放電工程で発生したケースの内部のガスを貫通孔からケースの外部に放出するガス抜き工程を備える。また、二次電池の製造工程は、貫通孔からケースの内部にヘリウムを充填する充填工程と、貫通孔を本封止部材で本封止する本封止工程とを備える。さらに、二次電池の製造工程は、ケースの内部からのヘリウムの漏れを検知することで、ケースの気密性を検査する気密検査工程を備える。
【０００４】
ところで、ヘリウムは、一般に知られているように軽い気体であるため、充填工程後から本封止工程までの間に貫通孔からケースの外部に漏れ出しやすい。このため、蓋の内面に対し、特許文献１に開示の弁体を設けることにより、ヘリウムの漏れを抑制することが考えられる。特許文献１の二次電池が備える弁体は、矩形状であり、中央部が蓋の内側から貫通孔を閉塞するように配置される。また、弁体は、４辺が一部分を除いて蓋の内面に接合されることで蓋に取り付けられている。ケースの外部から貫通孔を介して弁体に外力を加えると、弁体の中央部がケースの内部に向けて押し下げられ、弁体と蓋の内面との間に隙間が形成される。この隙間と貫通孔とによって、ケースの内外が連通されるようになっている。
【先行技術文献】
【特許文献】
【０００５】
【特許文献１】特開２００３−１４２０６０号公報
【発明の概要】
【発明が解決しようとする課題】
【０００６】
しかしながら、蓋の内面に特許文献１に開示の弁体を配置した場合、弁体の存在によって注液工程や充填工程の作業性が低下する虞がある。そこで、例えば、弁体の４辺のうち１辺のみを蓋の内面に接合することで弁体の開閉性を良好にすることも考えられるが、この場合、弁体が押し下げられる量が大きくなるため、押し下げられた弁体とケースに収容された電極組立体とが干渉しないように、蓋の内面と電極組立体との間にスペースを確保する必要がある。このスペースは、電池容量に寄与しないデッドスペースとなる。また、弁体は蓋の内面に収まるように配置されなければならず、例えば、蓋の短手方向の中央からずらして貫通孔を配置する場合には弁体の形状や配置が制限されることがある。
【０００７】
本発明は、上記課題を解決するためになされたものであり、その目的は、貫通孔が壁部の中央からずれた位置に形成された構成であっても、弁体による貫通孔の開閉性を良好にできる蓄電装置を提供することにある。
【課題を解決するための手段】
【０００８】
上記問題点を解決するための蓄電装置は、電極組立体と、前記電極組立体を収容するとともに、壁部に貫通孔が形成され、内部にヘリウムが充填されたケースと、前記壁部の内面に対し、前記貫通孔を開閉可能に取り付けられた弁体と、を備え、前記貫通孔が形成された前記壁部は長方形状であり、前記貫通孔は、前記壁部の短手方向の中央からずれた位置に配置され、前記弁体は、前記貫通孔を開閉する薄板状の弁部と、前記壁部の内面に固定された固定部と、前記弁部と前記固定部とを接続する薄板状の接続部とを有し、前記固定部は、前記壁部の短手方向の中央よりも前記弁部側に位置し、前記接続部は、少なくとも一部が前記壁部の短手方向の中央に対して前記弁部とは反対側に位置するとともに、前記弁部を一端とし、前記固定部を他端として前記弁部と前記固定部とを最短距離で繋いだ仮想線上に存在しないことを要旨とする。
【０００９】
これによれば、壁部の短手方向の中央よりも弁部側に固定部を配置することで、壁部には壁部の短手方向の中央に対して弁部とは反対側に接続部が位置する部分が確保され、この確保された部分に接続部を配置できる。また、接続部は、弁部と固定部との隙間を迂回して弁部と固定部とを接続する。このため、接続部が仮想線に沿って存在する場合、すなわち接続部が弁部と固定部とを最短距離で接続する場合と比較して、弁部から固定部までの接続部の長さが長くなり、弁体を押し下げるのに必要な力を低減できる。その結果、貫通孔が壁部の中央からずれた位置に形成された構成であっても、弁体による貫通孔の開閉性を良好にできる。
【００１０】
また、上記蓄電装置について、前記弁部と前記固定部とは、前記壁部の長手方向に間隔を空けて並び、前記接続部は、前記弁部から前記壁部の長手方向に延びる第１直線部と、前記第１直線部における前記弁部とは反対側の端部から前記壁部の短手方向に延びる第２直線部と、前記第２直線部における前記第１直線部とは反対側の端部から前記壁部の長手方向に延びるとともに、前記第１直線部と前記壁部の短手方向に並ぶ第３直線部と、前記第３直線部における前記第２直線部とは反対側の端部から前記固定部に向けて前記壁部の短手方向に延びる第４直線部と、から構成されているのが好ましい。
【００１１】
これによれば、弁体は、４つの直線部から構成されるとともに、弁部と固定部との隙間により一部が不連続となった略長方形状である。このため、接続部が例えば３つの直線部から構成されるＵ字状の場合や、接続部が弁部と固定部とを半月状に接続する場合と比較して、接続部の長さは長くなる。よって、貫通孔の開放性をより良好にできる。
【００１２】
また、上記蓄電装置について、前記弁体は１枚の板ばねであり、前記弁部における前記壁部側の面には、ゴム系樹脂製のシール部材が取り付けられているのが好ましい。
これによれば、弁体の弁部が押し下げられていない状態では、弁体の弁部は貫通孔を閉塞するとともにシール部材は蓋の内面に密接する。よって、ケースの気密性を向上できる。その結果、貫通孔からヘリウムがケースの外部に漏れ出すことをより抑制できる。
【００１３】
また、上記蓄電装置について、前記弁部における前記貫通孔と重なる部分は、前記ケースの外部に向けた凸部であるのが好ましい。
これによれば、弁体の弁部が押し下げられていない状態では、弁体の弁部は貫通孔を閉塞するとともに凸部は貫通孔の内側に入り込む。よって、ケースの気密性を向上できる。その結果、貫通孔からヘリウムがケースの外部に漏れ出すことをより抑制できる。
【００１４】
また、上記蓄電装置について、前記弁体は、紫外線硬化性樹脂製であり、前記弁部における前記貫通孔を取り囲む部分に前記壁部の内面に密接した状態で硬化された硬化部を備えるのが好ましい。
【００１５】
これによれば、弁体を樹脂製にすることで、ばね性により弁体による貫通孔の開閉性を良好にできるとともに、貫通孔を繰り返し開閉させた際の弁体の摩耗を抑制できる。また、硬化部は、貫通孔からケースの内部にヘリウムを充填した後で、弁部に紫外線を照射することで形成される。硬化部は、壁部の内面に密接した状態で硬化しているため、ケースの気密性を向上できる。その結果、貫通孔からヘリウムがケースの外部に漏れ出すことをより抑制できる。
【発明の効果】
【００１６】
本発明によれば、貫通孔が壁部の中央からずれた位置に形成された構成であっても、弁体による貫通孔の開閉性を良好にできる。
【図面の簡単な説明】
【００１７】
【図１】二次電池の分解斜視図。
【図２】蓋の底面図。
【図３】（ａ），（ｂ）は図２における３−３線断面図。
【図４】弁体の別例を示す底面図。
【図５】弁体の別例を示す底面図。
【図６】弁体の別例を示す底面図。
【図７】弁体の別例を示す底面図。
【図８】弁体の別例を示す断面図。
【図９】弁体の別例を示す断面図。
【図１０】弁体の別例を示す断面図。
【発明を実施するための形態】
【００１８】
以下、蓄電装置を二次電池に具体化した一実施形態を図１〜図３にしたがって説明する。
図１に示すように、蓄電装置としての二次電池１０は、直方体状のケース１１と、ケース１１に収容された電極組立体１２と、ケース１１に収容された図示しない電解液とを備える。ケース１１は、有底四角筒状のケース本体１３と、ケース本体１３の開口部１３ａを閉塞する板状の蓋１４とを有する。ケース本体１３及び蓋１４は、ケース１１の壁部を構成する。本実施形態の二次電池１０は、その外観が角型をなす角型電池である。また、本実施形態の二次電池１０は、リチウムイオン二次電池である。
【００１９】
図示しないが、電極組立体１２は、複数の正極電極と、複数の負極電極と、複数のセパレータとを備える。電極組立体１２は、正極電極と負極電極との間にセパレータを介在させ、かつ相互に絶縁させた状態で積層した層状構造を有する。正極電極及び負極電極はそれぞれ、矩形シート状の集電体と、集電体の両面に存在する活物質層と、集電体の一辺の一部から突出したタブ１５とを有する。タブ１５は、活物質層が存在せず、集電体そのもので構成されている。電極組立体１２は、複数のタブ１５が同じ極性同士で積層されたタブ群１２ａを有する。
【００２０】
蓋１４は、長方形状である。蓋１４の一対の長側縁部のうち、一方の長側縁部を第１長側縁部１４ａとし、他方の長側縁部を第２長側縁部１４ｂとする。また、蓋１４の一対の短側縁部のうち、一方の短側縁部を第１短側縁部１４ｃとし、他方の短側縁部を第２短側縁部１４ｄとする。さらに、蓋１４において、ケース１１の内側に臨む面を内面１４ｘとし、ケース１１の外側に臨むとともに内面１４ｘとは反対側の面を外面１４ｙとする。
【００２１】
蓋１４は、蓋１４を板厚方向に貫通する丸孔状の貫通孔１４ｈを有する。貫通孔１４ｈは、蓋１４の長手方向の中央付近に位置するとともに、蓋１４の短手方向の中央Ｃよりも第１長側縁部１４ａ寄りの一端側に位置する。つまり、貫通孔１４ｈは、蓋１４の短手方向の中央Ｃからずれた位置に配置されている。また、蓋１４は、蓋１４の内面１４ｘに対し、貫通孔１４ｈを開閉可能に配置された薄板状の弁体１６を備える。本実施形態の弁体１６は、金属製の１枚の板ばねである。
【００２２】
図２に示すように、本実施形態の弁体１６は、長方形状の第１〜第４部位２１〜２４によって構成されている。第１部位２１は、蓋１４の短手方向の中央Ｃよりも第１長側縁部１４ａ寄りに位置する。第１部位２１の長手は蓋１４の長手方向に延び、第１部位２１の短手は蓋１４の短手方向に延びる。第２部位２２は、第１部位２１の一対の長縁部のうち、蓋１４の第２長側縁部１４ｂに近い方の長縁部の第２短側縁部１４ｄ寄りの部分から第２長側縁部１４ｂに向けて、蓋１４の短手方向に延びる。第２部位２２の長手は蓋１４の短手方向に延び、第２部位２２の短手は蓋１４の長手方向に延びる。第３部位２３は、第２部位２２の一対の長縁部のうち、蓋１４の第１短側縁部１４ｃに近い方の長縁部の第２長側縁部１４ｂ寄りの部分から第１短側縁部１４ｃに向けて、蓋１４の長手方向に延びる。第３部位２３の長手は蓋１４の長手方向に延び、第３部位２３の短手は蓋１４の短手方向に延びる。第３部位２３は、蓋１４の短手方向の中央Ｃよりも第２長側縁部１４ｂ側に位置する。蓋１４の長手方向において、第３部位２３の寸法は、第１部位２１の寸法よりも長い。第４部位２４は、第３部位２３の一対の長縁部のうち、蓋１４の第１長側縁部１４ａに近い方の長縁部の第１短側縁部１４ｃ寄りの部分から第１長側縁部１４ａに向けて、蓋１４の短手方向に延びる。第４部位２４の長手は蓋１４の長手方向に延び、第４部位２４の短手は蓋１４の短手方向に延びる。第４部位２４の長手は、蓋１４の短手方向の中央Ｃを跨ぐように延びる。第４部位２４の一部は、蓋１４の短手方向の中央Ｃよりも第１長側縁部１４ａ側に位置する。
【００２３】
弁体１６は、第１部位２１の一部が蓋１４の貫通孔１４ｈの全体を閉塞するように配置される。よって、第１部位２１の一部は、蓋１４の貫通孔１４ｈの全体を閉塞する弁部１６ａである。貫通孔１４ｈを構成する内周面のうち、蓋１４の長手方向の第２短側縁部１４ｄに最も近い内面１４１から第２短側縁部１４ｄに向けて、所定の距離だけ離れた位置を閉塞縁部１６１とする。また、閉塞縁部１６１を通過し、かつ蓋１４の短手方向に沿って延びる仮想的な直線を第１境界部Ｂ１とする。弁部１６ａは、第１部位２１において、第１境界部Ｂ１よりも蓋１４の長手方向の第１短側縁部１４ｃ側に位置する部分である。弁部１６ａは、貫通孔１４ｈの開口面積よりも大きく、貫通孔１４ｈの全体を閉塞可能である。また、上述したように、弁部１６ａの閉塞縁部１６１は、貫通孔１４ｈの内面１４１よりも所定の距離だけ外側に位置する。よって、貫通孔１４ｈは、弁部１６ａによって完全に閉塞される。
【００２４】
弁体１６は、第４部位２４の一部が蓋１４の内面１４ｘにインダイレクトスポット溶接により接合された固定部としての接合部２５を有する。弁体１６は、接合部２５により蓋１４に固定される。よって、第４部位２４の一部は、蓋１４に対して固定される固定部１６ｂである。接合部２５の周縁部のうち、蓋１４の短手方向の第２長側縁部１４ｂに最も近い縁部２５ａを通過し、かつ蓋１４の長手方向に沿って延びる仮想的な直線を第２境界部Ｂ２とする。固定部１６ｂは、第４部位２４において、第２境界部Ｂ２よりも蓋１４の短手方向の第１長側縁部１４ａ側に位置する部分である。固定部１６ｂは、蓋１４の短手方向の中央Ｃよりも弁部１６ａ側（第１長側縁部１４ａ側）に位置する。弁部１６ａと固定部１６ｂとは、蓋１４の長手方向において間隔を空けて並ぶ。弁体１６は、弁部１６ａと固定部１６ｂとの隙間Ｓにより一部が不連続となった略長方形状である。
【００２５】
弁部１６ａと固定部１６ｂとを最短距離で仮想的に繋ぐ直線を仮想線Ｌとする。仮想線Ｌは、蓋１４の長手方向に沿って延びる。仮想線Ｌの一端Ｌ１は、第１部位２１の一対の短縁部のうち、蓋１４の長手方向の第１短側縁部１４ｃに近い方の短縁部に位置し、仮想線Ｌの他端Ｌ２は、固定部１６ｂを構成する第４部位２４の一対の長縁部のうち、蓋１４の長手方向の第２短側縁部１４ｄに近い方の短縁部に位置する。
【００２６】
弁体１６は、弁部１６ａと固定部１６ｂとを接続する接続部１６ｃを備える。本実施形態の弁体１６は、第１〜第４直線部によって構成されている。第１直線部は、弁部１６ａから蓋１４の長手方向に延びる部分であり、第１部位２１における第１境界部Ｂ１よりも蓋１４の長手方向の第２短側縁部１４ｄ側に位置する部分に対応する。第２直線部は、第１部位２１における弁部１６ａとは反対側の端部から蓋１４の短手方向に延びる部分であり、第２部位２２の全体に対応する。第３直線部は、第２部位２２における第１部位２１とは反対側の端部から蓋１４の長手方向に延びるとともに、第１部位２１と蓋１４の短手方向に並ぶ部分であり、第３部位２３の全体に対応する。第４直線部は、第３部位２３における第２部位２２とは反対側の端部から固定部１６ｂに向けて蓋１４の短手方向に延びる部分であり、第４部位２４における第２境界部Ｂ２よりも蓋１４の短手方向の第２長側縁部１４ｂ側に位置する部分に対応する。接続部１６ｃの一部は、蓋１４の短手方向の中央Ｃに対して弁部１６ａとは反対側（第２長側縁部１４ｂ側）に位置する。また、接続部１６ｃは、仮想線Ｌ上に存在しない。つまり、接続部１６ｃは、蓋１４の長手方向における弁部１６ａと固定部１６ｂとの隙間Ｓを迂回して弁部１６ａと固定部１６ｂとを接続する。
【００２７】
図３（ａ）に示すように、弁体１６に外力Ｆが加えられていない状態では、弁体１６の弁部１６ａ及び接続部１６ｃは蓋１４の内面１４ｘに沿う状態であり、貫通孔１４ｈは弁部１６ａの一部によって閉塞されている。よって、貫通孔１４ｈを介したケース１１の内外の連通が遮断されている。図３（ｂ）に示すように、ケース１１の外部から貫通孔１４ｈを介して弁体１６に外力Ｆを加えると、弁体１６の弁部１６ａは、ケース１１の内部に向けて押し下げられ、弁体１６の弁部１６ａ及び接続部１６ｃは、蓋１４の内面１４ｘから離れた状態となる。このため、弁部１６ａと蓋１４の内面１４ｘとの間に隙間が形成され、貫通孔１４ｈは開放される。よって、ケース１１の内外は、隙間及び貫通孔１４ｈを介して連通する。なお、弁部１６ａは、押し下げられた状態において電極組立体１２と干渉しない。そして、弁体１６に外力Ｆが加えられなくなると、弁部１６ａは、押し下げられた状態から蓋１４の内面１４ｘに沿う状態に戻り、貫通孔１４ｈは弁部１６ａの一部によって閉塞される。
【００２８】
図１に示すように、二次電池１０は、貫通孔１４ｈを封止するための封止部材としてのブラインドリベット１７を備える。なお、図１では、ブラインドリベット１７によって貫通孔１４ｈを封止する前の状態を図示している。
【００２９】
二次電池１０は、電極組立体１２から電気を取り出すための正極及び負極の端子構造１８を備える。各端子構造１８は、タブ群１２ａと接合された板状の導電部材１８ａと、導電部材１８ａから突出する棒状の電極端子１８ｂとを有する。各電極端子１８ｂは、蓋１４を貫通してケース１１の外部に突出し、ケース１１の内外を繋ぐ。正極の電極端子１８ｂは、蓋１４の長手方向の第２短側縁部１４ｄ寄りの部分を貫通し、負極の電極端子１８ｂは、蓋１４の長手方向の第１短側縁部１４ｃ寄りの部分を貫通する。各電極端子１８ｂには、二次電池１０同士を電気的に接続する図示しない外部装置としてのバスバーが固定可能である。各端子構造１８は、電極組立体１２とバスバーとを電気的に接続している。二次電池１０は、蓋１４と各端子構造１８の電極端子１８ｂとを絶縁するための絶縁リング１９を備える。
【００３０】
二次電池１０は、蓋１４に圧力開放弁２０を備える。圧力開放弁２０は、蓋１４の長手方向において正極の電極端子１８ｂと貫通孔１４ｈとの間に位置し、蓋１４の外面１４ｙから見て弁体１６と重ならないようになっている。圧力開放弁２０は、蓋１４の外面１４ｙよりも凹んだ凹部の底に設けられている。圧力開放弁２０は、ケース１１内でガスが発生した際、ケース１１内の圧力が上昇し過ぎないように、ケース１１内の圧力が所定の圧力である開放圧に達した場合に開裂する。これにより、ケース１１の内外が連通された状態になるため、ケース１１内の圧力がケース１１外に開放される。
【００３１】
次に、二次電池１０の製造方法について説明する。
二次電池１０の製造方法は、電極組立体１２をケース１１に収容する収容工程を備える。収容工程では、開口部１３ａからケース本体１３内に電極組立体１２を収容する。次に、内面１４ｘに弁体１６が取り付けられた蓋１４により、ケース本体１３の開口部１３ａを閉塞し、ケース本体１３と蓋１４とを接合する。二次電池１０の製造方法は、電極組立体１２が収容されたケース１１に対し、貫通孔１４ｈからケース１１の内部に電解液を注入する注液工程を備える。注液工程では、例えば、図示しない注液装置のノズルによってケース１１の外側から弁体１６の弁部１６ａを押し下げることで貫通孔１４ｈを開放し、ケース１１の内部に電解液を注入する。注液工程後、貫通孔１４ｈは、弁体１６の弁部１６ａによって閉塞される。
【００３２】
二次電池１０の製造方法は、図示しない仮封止部材によって貫通孔１４ｈを仮封止する仮封止工程と、図示しない拘束治具によってケース１１を拘束し、初期充放電を行う初期充放電工程とを備える。本実施形態の初期充放電工程は、コンディショニング工程及びエージング工程からなる。コンディショニング工程では初期充電を行う。なお、二次電池１０の仕様によっては、複数回の充放電を繰り返す場合もある。コンディショニング工程後、エージング工程では、図示しない恒温槽にて二次電池１０を所定のエージング温度にまで昇温させた状態で所定時間放置する。初期充放電工程は、仮封止部材によって貫通孔１４ｈが仮封止された状態で行われる。初期充放電工程後、拘束治具によるケース１１の拘束を解除する。
【００３３】
二次電池１０の製造方法は、貫通孔１４ｈから仮封止部材を除去することによって貫通孔１４ｈの仮封止を解除し、エージング工程においてケース１１の内部で発生したガスを貫通孔１４ｈからケース１１の外部へ放出するガス抜き工程を備える。ガス抜き工程では、図示しない押圧部材によってケース１１の外側から弁体１６の弁部１６ａを押し下げることで貫通孔１４ｈを開放し、貫通孔１４ｈからケース１１の内部で発生したガスをケース１１の外部へ放出する。ガス抜き工程後、貫通孔１４ｈは、弁体１６の弁部１６ａによって閉塞される。
【００３４】
二次電池１０の製造方法は、貫通孔１４ｈからケース１１の内部にヘリウムを充填する充填工程を備える。充填工程では、例えば、図示しない充填装置のノズルによってケース１１の外側から弁体１６の弁部１６ａを押し下げることで貫通孔１４ｈを開放し、貫通孔１４ｈからケース１１の内部にヘリウムを充填する。充填工程後、貫通孔１４ｈは、弁体１６の弁部１６ａによって閉塞される。よって、ケース１１の内部に充填されたヘリウムが貫通孔１４ｈからケース１１の外部に漏れ出すことが抑制される。二次電池１０の製造方法は、貫通孔１４ｈをブラインドリベット１７によって本封止する本封止工程と、ケース１１の内部からのヘリウムの漏れを検知することで、貫通孔１４ｈが本封止されたケース１１の気密性を検査する気密検査工程とを備える。
【００３５】
本実施形態の作用及び効果について説明する。
（１）弁体１６は、蓋１４の貫通孔１４ｈを開閉する弁部１６ａと、蓋１４の内面１４ｘに固定された固定部１６ｂと、弁部１６ａと固定部１６ｂとを接続する接続部１６ｃとを有する。固定部１６ｂは、蓋１４の短手方向の中央Ｃよりも弁部１６ａ側に位置する。このため、蓋１４の内面１４ｘには、蓋１４の短手方向の中央Ｃに対して弁部１６ａとは反対側に、接続部１６ｃが位置するための部分が確保され、この確保された部分に接続部１６ｃを配置できる。また、接続部１６ｃは、弁部１６ａと固定部１６ｂとを繋ぐ仮想線Ｌ上に存在しない。言い換えると、接続部１６ｃは、弁部１６ａと固定部１６ｂとの隙間を迂回して弁部１６ａと固定部１６ｂとを接続する。このため、接続部１６ｃが仮想線Ｌに沿って存在する場合、すなわち接続部１６ｃが弁部１６ａと固定部１６ｂとを最短距離で接続する場合と比較して、弁部１６ａから固定部１６ｂまでの接続部１６ｃの長さが長くなり、弁体１６を押し下げるのに必要な力を低減できる。その結果、貫通孔１４ｈが蓋１４の短手方向の中央Ｃからずれた位置に形成された構成であっても、弁体１６による貫通孔１４ｈの開閉性を良好にできる。
【００３６】
（２）弁体１６は、４つの直線部から構成されるとともに、弁部１６ａと固定部１６ｂとの隙間Ｓにより一部が不連続となった略長方形状である。このため、接続部１６ｃが例えば３つの直線部から構成されるＵ字状の場合（図４参照）や、接続部１６ｃが弁部１６ａと固定部１６ｂとを半月状に接続する場合（図６参照）と比較して、接続部１６ｃの長さが長くなる。よって、貫通孔１４ｈの開放性をより良好にできる。
【００３７】
本実施形態は、以下のように変更して実施することができる。本実施形態及び変更例は、技術的に矛盾しない範囲で互いに組み合わせて実施することができる。
○  貫通孔１４ｈは、ケース本体１３に形成されていてもよい。
【００３８】
○  電極組立体１２と蓋１４の内面１４ｘとの間に、電極組立体１２と蓋１４とを絶縁するための絶縁部材を介在させてもよい。
○  弁体１６の厚みは、弁部１６ａ、固定部１６ｂ、及び接続部１６ｃで異なっていてもよい。ただし、弁部１６ａ及び接続部１６ｃは、弁部１６ａによって貫通孔１４ｈを開閉可能な程度の薄板とする。
【００３９】
○  弁体１６の形状は、上記実施形態の形状に限定されず、下記の構成を満たしていればよい。弁体１６は、貫通孔１４ｈを開閉する弁部１６ａと、蓋１４の内面１４ｘに固定された固定部１６ｂと、弁部１６ａと固定部１６ｂとを接続する接続部１６ｃとを有する。固定部１６ｂは、蓋１４の短手方向の中央Ｃよりも弁部１６ａ側に位置する。接続部１６ｃは、少なくとも一部が蓋１４の短手方向の中央Ｃに対して弁部１６ａとは反対側に位置するとともに、弁部１６ａと固定部１６ｂとを最短距離で繋ぐ仮想線Ｌ上に存在しない。
【００４０】
弁体１６の形状は、例えば、図４〜図７に示す形状であってもよい。
図４に示す弁体１６は、長方形状の第１〜第３部位３１〜３３によって構成されている。第１部位３１の長手は蓋１４の短手方向に延び、第１部位３１の短手は蓋１４の長手方向に延びる。第１部位３１の長手は、蓋１４の短手方向の中央Ｃを跨ぐように延びる。第１部位３１の一部は、蓋１４の短手方向の中央Ｃよりも第１長側縁部１４ａ側に位置する。第２部位３２は、第１部位３１の一対の長縁部のうち、蓋１４の第２短側縁部１４ｄに近い方の長縁部の第２長側縁部１４ｂ寄りの部分から第２短側縁部１４ｄに向けて、蓋１４の長手方向に延びる。第２部位３２の長手は蓋１４の長手方向に延び、第２部位３２の短手は蓋１４の短手方向に延びる。第２部位３２は、蓋１４の短手方向の中央Ｃよりも第２長側縁部１４ｂ側に位置する。第３部位３３は、第２部位３２の一対の長縁部のうち、蓋１４の第１長側縁部１４ａに近い方の長縁部の第２短側縁部１４ｄ寄りの部分から第１長側縁部１４ａに向けて、蓋１４の短手方向に延びる。第３部位３３の長手は蓋１４の短手方向に延び、第３部位３３の短手は蓋１４の長手に延びる。第３部位３３の長手は、蓋１４の短手方向の中央Ｃを跨ぐように延びる。第３部位３３の一部は、蓋１４の短手方向の中央Ｃよりも第１長側縁部１４ａ側に位置する。
【００４１】
弁体１６は、第１部位３１の一部が蓋１４の貫通孔１４ｈの全体を閉塞するように配置される。よって、第１部位３１の一部は、蓋１４の貫通孔１４ｈの全体を閉塞する弁部１６ａである。貫通孔１４ｈを構成する内周面のうち、蓋１４の短手方向の第２長側縁部１４ｂに最も近い内面１４１から第２長側縁部１４ｂに向けて、所定の距離だけ離れた位置を閉塞縁部１６１とする。また、閉塞縁部１６１を通過し、かつ蓋１４の短手方向に沿って延びる仮想的な直線を第１境界部Ｂ１とする。弁部１６ａは、第１部位３１において第１境界部Ｂ１よりも蓋１４の短手方向の第１長側縁部１４ａ側に位置する部分である。弁部１６ａは、貫通孔１４ｈの開口面積よりも大きく、貫通孔１４ｈの全体を閉塞可能である。また、上述したように、弁部１６ａの閉塞縁部１６１は、貫通孔１４ｈの内面１４１よりも所定の距離だけ外側に位置する。よって、貫通孔１４ｈは、弁部１６ａによって完全に閉塞される。
【００４２】
弁体１６は、第３部位３３の一部が蓋１４の内面１４ｘにインダイレクトスポット溶接により接合された固定部としての接合部２５を有する。弁体１６は、接合部２５により蓋１４に固定される。よって、第３部位３３の一部は、蓋１４に対して固定される固定部１６ｂである。接合部２５の周縁部のうち、蓋１４の短手方向の第２長側縁部１４ｂに最も近い縁部２５ａを通過し、かつ蓋１４の長手方向に沿って延びる仮想的な直線を第２境界部Ｂ２とする。固定部１６ｂは、第３部位３３において第２境界部Ｂ２よりも蓋１４の短手方向の第１長側縁部１４ａ側に位置する部分である。固定部１６ｂは、蓋１４の短手方向の中央Ｃよりも弁部１６ａ側（第１長側縁部１４ａ側）に位置する。弁部１６ａと固定部１６ｂとは、蓋１４の長手方向において間隔を空けて並ぶ。弁体１６は、蓋１４の第１長側縁部１４ａに向けて開口するＵ字状である。
【００４３】
弁部１６ａと固定部１６ｂとを最短距離で仮想的に繋ぐ直線を仮想線Ｌとする。仮想線Ｌは、蓋１４の長手方向に沿って延びる。仮想線Ｌの一端Ｌ１は、第１部位３１の一対の長縁部のうち、蓋１４の長手方向の第２短側縁部１４ｄに近い方の長縁部に位置し、仮想線Ｌの他端Ｌ２は、第３部位３３の一対の長縁部のうち、蓋１４の長手方向の第１短側縁部１４ｃに近い方の短縁部に位置する。
【００４４】
弁体１６は、弁部１６ａと固定部１６ｂとを接続する接続部１６ｃを備える。本実施形態の接続部１６ｃは、第１部位３１における第１境界部Ｂ１よりも蓋１４の短手方向の第２長側縁部１４ｂ側に位置する部分と、第２部位３２の全体と、第３部位３３における第２境界部Ｂ２よりも蓋１４の短手方向の第２長側縁部１４ｂ側に位置する部分とによって構成されている。接続部１６ｃの一部は、蓋１４の短手方向の中央Ｃに対して弁部１６ａとは反対側（第２長側縁部１４ｂ側）に位置する。また、接続部１６ｃは、仮想線Ｌ上に存在しない。つまり、接続部１６ｃは、蓋１４の長手方向における弁部１６ａと固定部１６ｂとの隙間Ｓを迂回して弁部１６ａと固定部１６ｂとを接続する。
【００４５】
図５に示す弁体１６は、長方形状の第１〜第５部位４１〜４５によって構成されている。第１部位４１は、蓋１４の短手方向において第１長側縁部１４ａと貫通孔１４ｈとの間に位置する。よって、第１部位４１は、蓋１４の短手方向の中央Ｃよりも第１長側縁部１４ａ側に位置する。第１部位４１の長手は蓋１４の長手方向に延び、第１部位４１の短手は蓋１４の短手方向に延びる。第２部位４２は、第１部位４１の一対の長縁部のうち、蓋１４の第２長側縁部１４ｂに近い方の長縁部の第２短側縁部１４ｄ寄りの部分から第２長側縁部１４ｂに向けて、蓋１４の短手方向に延びる。第２部位４２の長手は蓋１４の短手方向に延び、第２部位４２の短手は蓋１４の長手方向に延びる。第３部位４３は、第２部位４２の一対の長縁部のうち、蓋１４の第１短側縁部１４ｃに近い方の長縁部の第２長側縁部１４ｂ寄りの部分から第１短側縁部１４ｃに向けて、蓋１４の長手方向に延びる。第３部位４３の長手は蓋１４の長手方向に延び、第３部位４３の短手は蓋１４の短手方向に延びる。第３部位４３は、蓋１４の短手方向の中央Ｃよりも第２長側縁部１４ｂ側に位置する。第４部位４４は、第３部位４３の一対の長縁部のうち、蓋１４の第１長側縁部１４ａに近い方の長縁部の第１短側縁部１４ｃ寄りの部分から第１長側縁部１４ａに向けて、蓋１４の短手方向に延びる。第４部位４４の長手は蓋１４の短手方向に延び、第４部位４４の短手は蓋１４の長手方向に延びる。蓋１４の短手方向において、第４部位４４の寸法は、第２部位４２の寸法よりも短い。第５部位４５は、第４部位４４の一対の長縁部のうち、蓋１４の第２短側縁部１４ｄに近い方の長縁部の第１長側縁部１４ａ寄りの部分から第２短側縁部１４ｄに向けて、蓋１４の長手方向に延びる。第５部位４５の長手は蓋１４の長手方向に延び、第５部位４５の短手は蓋１４の短手方向に延びる。蓋１４の短手方向において、第５部位４５は、第１部位４１と第３部位４３との間に位置する。
【００４６】
弁体１６は、第５部位４５の一部が蓋１４の貫通孔１４ｈの全体を閉塞するように配置される。よって、第５部位４５の一部は、蓋１４の貫通孔１４ｈの全体を閉塞する弁部１６ａである。貫通孔１４ｈを構成する内周面のうち、蓋１４の長手方向の第１短側縁部１４ｃに最も近い内面１４１から第１短側縁部１４ｃに向けて、所定の距離だけ離れた位置を閉塞縁部１６１とする。また、閉塞縁部１６１を通過し、かつ蓋１４の短手方向に沿って延びる仮想的な直線を第１境界部Ｂ１とする。弁部１６ａは、第５部位４５において第１境界部Ｂ１よりも蓋１４の長手方向の第２短側縁部１４ｄ側に位置する部分である。弁部１６ａは、貫通孔１４ｈの開口面積よりも大きく、貫通孔１４ｈの全体を閉塞可能である。また、上述したように、弁部１６ａの閉塞縁部１６１は、貫通孔１４ｈの内面１４１よりも所定の距離だけ外側に位置する。よって、貫通孔１４ｈは、弁部１６ａによって完全に閉塞される。
【００４７】
弁体１６は、第１部位４１の一部が蓋１４の内面１４ｘにインダイレクトスポット溶接により接合された固定部としての接合部２５を有する。弁体１６は、接合部２５により蓋１４に固定される。よって、第１部位４１は、蓋１４に対して固定される固定部１６ｂである。固定部１６ｂは、蓋１４の短手方向の中央Ｃよりも弁部１６ａ側（第１長側縁部１４ａ側）に位置する。弁部１６ａと固定部１６ｂとは、蓋１４の短手方向において間隔を空けて並ぶ。弁体１６は、渦巻き状である。
【００４８】
弁部１６ａと固定部１６ｂとを最短距離で仮想的に繋ぐ直線を仮想線Ｌとする。仮想線Ｌは、蓋１４の短手方向に沿って延びる。仮想線Ｌの一端Ｌ１は、弁部１６ａを構成する第５部位４５の一対の長縁部のうち、蓋１４の短手方向の第１長側縁部１４ａに近い方の長縁部に位置し、仮想線Ｌの他端Ｌ２は、第１部位４１の一対の長縁部のうち、蓋１４の短手方向の第２長側縁部１４ｂに近い方の短縁部に位置する。
【００４９】
弁体１６は、弁部１６ａと固定部１６ｂとを接続する接続部１６ｃを備える。本実施形態の接続部１６ｃは、第２〜第４部位４２〜４４と、第５部位４５における第１境界部Ｂ１よりも蓋１４の長手方向の第１短側縁部１４ｃ側に位置する部分とによって構成されている。接続部１６ｃの一部は、蓋１４の短手方向の中央Ｃに対して弁部１６ａとは反対側（第２長側縁部１４ｂ側）に位置する。また、接続部１６ｃは、仮想線Ｌ上に存在しない。つまり、接続部１６ｃは、蓋１４の短手方向における弁部１６ａと固定部１６ｂとの隙間Ｓを迂回するように弁部１６ａと固定部１６ｂとを接続する。
【００５０】
図６に示す弁体１６は、直線状に延びる第１部位５１と、弧状に延びる第２部位５２とによって構成されている。第１部位５１は、蓋１４の短手方向の中央Ｃよりも第１長側縁部１４ａ側に位置する。第１部位５１は、長手が蓋１４の長手方向に延び、短手が蓋１４の短手方向に延びる長方形状である。第２部位５２は、蓋１４の短手方向の第２長側縁部１４ｂに向けて凹となる弧状である。第２部位５２の両端部のうち、蓋１４の長手方向の第１短側縁部１４ｃに近い一端部は、第１部位５１の一対の長縁部のうち、蓋１４の短手方向の第２長側縁部１４ｂに近い方の長縁部の第１短側縁部１４ｃ寄りの部分に繋がる。蓋１４の長手方向の第２短側縁部１４ｄに近い第２部位５２の他端部は、蓋１４の短手方向の中央Ｃよりも第１長側縁部１４ａ側に位置する。
【００５１】
弁体１６は、第１部位５１の一部が蓋１４の貫通孔１４ｈの全体を閉塞するように配置される。よって、第１部位５１の一部は、蓋１４の貫通孔１４ｈの全体を閉塞する弁部１６ａである。また、貫通孔１４ｈを構成する内周面のうち、蓋１４の長手方向の第１短側縁部１４ｃに最も近い内面１４１から第１短側縁部１４ｃに向けて、所定の距離だけ離れた位置を閉塞縁部１６１とする。また、閉塞縁部１６１を通過し、かつ蓋１４の短手方向に沿って延びる仮想的な直線を第１境界部Ｂ１とする。弁部１６ａは、第１部位５１において第１境界部Ｂ１よりも蓋１４の長手方向の第２短側縁部１４ｄ側に位置する部分である。弁部１６ａは、貫通孔１４ｈの開口面積よりも大きく、貫通孔１４ｈの全体を閉塞可能である。また、上述したように、弁部１６ａの閉塞縁部１６１は、貫通孔１４ｈの内面１４１よりも所定の距離だけ外側に位置する。よって、貫通孔１４ｈは、弁部１６ａによって完全に閉塞される。
【００５２】
弁体１６は、第２部位５２の一部が蓋１４の内面１４ｘにインダイレクトスポット溶接により接合された固定部としての接合部２５を有する。弁体１６は、接合部２５により蓋１４に固定される。よって、第２部位５２の一部は、蓋１４に対して固定される固定部１６ｂである。接合部２５の周縁部のうち、蓋１４の短手方向の第２長側縁部１４ｂに最も近い縁部２５ａを通過し、かつ蓋１４の長手方向に沿って延びる仮想的な直線を第２境界部Ｂ２とする。固定部１６ｂは、第２部位５２において第２境界部Ｂ２よりも蓋１４の短手方向の第１長側縁部１４ａ側に位置する部分である。固定部１６ｂは、蓋１４の短手方向の中央Ｃよりも弁部１６ａ側（第１長側縁部１４ａ側）に位置する。弁部１６ａと固定部１６ｂとは、蓋１４の長手方向において間隔を空けて並ぶ。
【００５３】
弁部１６ａと固定部１６ｂとを最短距離で仮想的に繋ぐ直線を仮想線Ｌとする。仮想線Ｌは、蓋１４の長手方向に沿って延びる。仮想線Ｌの一端Ｌ１は、第１部位５１の一対の短縁部のうち、蓋１４の長手方向の第２短側縁部１４ｄに近い方の短縁部に位置し、仮想線Ｌの他端Ｌ２は、第２部位３２の内周縁に位置する。
【００５４】
弁体１６は、弁部１６ａと固定部１６ｂとを接続する接続部１６ｃを備える。本実施形態の接続部１６ｃは、第１部位５１における第１境界部Ｂ１よりも蓋１４の長手方向の第１短側縁部１４ｃ側に位置する部分と、第２部位５２における第２境界部Ｂ２よりも蓋１４の短手方向の第２長側縁部１４ｂ側に位置する部分とによって構成されている。接続部１６ｃの一部は、蓋１４の短手方向の中央Ｃに対して弁部１６ａとは反対側（第２長側縁部１４ｂ側）に位置する。また、接続部１６ｃは、仮想線Ｌ上に存在しない。つまり、接続部１６ｃは、蓋１４の長手方向における弁部１６ａと固定部１６ｂとの隙間Ｓを迂回して弁部１６ａと固定部１６ｂとを接続する。
【００５５】
図７に示す弁体１６は、周方向の一箇所が不連続な楕円状である。弁体１６の一端部及び他端部は、蓋１４の短手方向の中央Ｃよりも第１長側縁部１４ａ側に位置する。弁体１６は、一端部が蓋１４の貫通孔１４ｈを閉塞するように配置される。よって、弁体１６の一端部は、蓋１４の貫通孔１４ｈを閉塞する弁部１６ａである。貫通孔１４ｈを構成する内周面のうち、蓋１４の長手方向の第１短側縁部１４ｃに最も近い内面１４１から第１短側縁部１４ｃに向けて、所定の距離だけ離れた位置を閉塞縁部１６１とする。また、閉塞縁部１６１を通過し、かつ蓋１４の短手方向に沿って延びる仮想的な直線を第１境界部Ｂ１とする。弁部１６ａである弁体１６の一端部は、弁体１６における第１境界部Ｂ１から周方向の一端縁１６２までの部分である。弁部１６ａは、貫通孔１４ｈの開口面積よりも大きく、貫通孔１４ｈの全体を閉塞可能である。また、上述したように、弁部１６ａの閉塞縁部１６１は、貫通孔１４ｈの内面１４１よりも所定の距離だけ外側に位置する。よって、貫通孔１４ｈは、弁部１６ａによって完全に閉塞される。
【００５６】
弁体１６は、他端部が蓋１４の内面１４ｘにインダイレクトスポット溶接により接合された固定部としての接合部２５を有する。弁体１６は、接合部２５により蓋１４に固定される。よって、弁体１６の他端部は、蓋１４に対して固定される固定部１６ｂである。接合部２５の周縁部のうち、蓋１４の短手方向の第２長側縁部１４ｂに最も近い縁部２５ａを通過し、かつ蓋１４の長手方向に沿って延びる仮想的な直線を第２境界部Ｂ２とする。固定部１６ｂを構成する弁体１６の他端部は、弁体１６における第２境界部Ｂ２から周方向の他端縁１６３までの部分である。固定部１６ｂは、蓋１４の短手方向の中央Ｃよりも弁部１６ａ側に位置する。弁部１６ａと固定部１６ｂとは、弁体１６の周方向において間隔を空けて並ぶ。
【００５７】
弁部１６ａと固定部１６ｂとを最短距離で仮想的に繋ぐ直線を仮想線Ｌとする。仮想線Ｌの一端Ｌ１は、弁体１６の一端縁１６２に位置し、仮想線Ｌの他端Ｌ２は、弁体１６の他端縁１６３に位置する。
【００５８】
弁体１６は、弁部１６ａと固定部１６ｂとを接続する接続部１６ｃを備える。本実施形態の接続部１６ｃは、弁体１６において第１境界部Ｂ１から第２境界部Ｂ２までの部分によって構成されている。接続部１６ｃの一部は、蓋１４の短手方向の中央Ｃに対して弁部１６ａとは反対側（第２長側縁部１４ｂ側）に位置する。また、接続部１６ｃは、仮想線Ｌ上に存在しない。つまり、接続部１６ｃは、弁部１６ａと固定部１６ｂとの隙間Ｓを迂回して弁部１６ａと固定部１６ｂとを接続する。
【００５９】
○  蓋１４の短手方向の中央Ｃよりも第１長側縁部１４ａ側での弁部１６ａ及び固定部１６ｂの配置によっては、接続部１６ｃの全体が蓋１４の短手方向の中央Ｃに対して弁部１６ａとは反対側に位置していてもよい。
【００６０】
○  図８に示すように、弁体１６の弁部１６ａにおける蓋１４側の面には、ゴム系樹脂製のシール部材２６が取り付けられていてもよい。シール部材２６は、貫通孔１４ｈの径よりも大径である。この場合、弁体１６の弁部１６ａが押し下げられていない状態では、弁部１６ａは貫通孔１４ｈを閉塞するとともに、シール部材２６は蓋１４の内面１４ｘに密接する。よって、ケース１１の気密性を向上できる。その結果、貫通孔１４ｈからヘリウムがケース１１の外部に漏れ出すことをより抑制できる。
【００６１】
○  図９に示すように、弁体１６の弁部１６ａにおける貫通孔１４ｈと重なる部分は、ケース１１の外部に向けた凸部１６ｄであってもよい。この場合、弁体１６の弁部１６ａが押し下げられていない状態では、弁体１６の弁部１６ａは貫通孔１４ｈを閉塞するとともに、凸部１６ｄは貫通孔１４ｈの内側に入り込む。よって、ケース１１の気密性を向上できる。その結果、貫通孔１４ｈからヘリウムがケース１１の外部に漏れ出すことをより抑制できる。
【００６２】
○  図１０に示すように、弁体１６は、紫外線硬化性樹脂によって形成されていてもよい。また、弁体１６は、紫外線の照射により硬化された硬化部１６ｅを弁体１６の厚み内に備えていてもよい。硬化部１６ｅは、弁体１６の厚み方向における蓋１４側の約半分に形成される。硬化部１６ｅは、蓋１４側の一端面から電極組立体１２側の他端面に向かうにつれて縮径する略円柱形状である。硬化部１６ｅの一端面の面積は、貫通孔１４ｈの開口面積よりも大きい。硬化部１６ｅは、弁部１６ａにおける貫通孔１４ｈからケース１１の外部に露出する部分と、弁部１６ａにおける貫通孔１４ｈを取り囲む部分とに形成される。
【００６３】
硬化部１６ｅは、充填工程後に、弁部１６ａに対し、蓋１４の外面１４ｙ側から紫外線を照射することで形成される。弁部１６ａにおけるケース１１の外部に露出する部分は、貫通孔１４ｈを通過した紫外線が直接照射されることにより硬化し、弁部１６ａにおけるケース１１の外部に露出する部分が硬化するのに伴って、弁部１６ａにおける貫通孔１４ｈを取り囲む部分も硬化する。このとき、弁部１６ａにおける貫通孔１４ｈを取り囲む部分は、蓋１４の内面１４ｘに密接した状態で硬化する。
【００６４】
弁体１６を樹脂製にすることで、ばね性により弁体１６による貫通孔１４ｈの開閉性を良好にできるとともに、貫通孔１４ｈを繰り返し開閉させた際の弁体１６の摩耗を抑制できる。また、弁部１６ａにおける貫通孔１４ｈを取り囲む部分に形成された硬化部１６ｅは、蓋１４の内面１４ｘに密接した状態で硬化されるため、ケース１１の気密性が向上する。よって、貫通孔１４ｈからヘリウムがケース１１の外部に漏れ出すことをより抑制できる。
【００６５】
○  蓋１４に対する弁体１６の固定方法は、インダイレクトスポット溶接に限定されず、適宜変更してよい。
○  電極組立体１２は、上記実施形態に記載した、いわゆる積層型の電極組立体に限定されず、帯状の正極電極、帯状のセパレータ、及び帯状の負極電極をこの順に積層して巻回した巻回型の電極組立体であってもよい。
【００６６】
○  本封止部材は、貫通孔１４ｈを本封止できるのであれば、ブラインドリベット１７に限定されず、適宜変更してよい。
○  蓄電装置は、例えばキャパシタなど、二次電池以外の蓄電装置にも適用可能である。
【符号の説明】
【００６７】
１０…蓄電装置としての二次電池、１１…ケース、１２…電極組立体、１４…壁部としての蓋、１４ｈ…貫通孔、１４ｘ…内面、１６…弁体、１６ａ…弁部、１６ｂ…固定部、１６ｃ…接続部、１６ｄ…凸部、１６ｅ…硬化部、２１…第１直線部としての第１部位、２２…第２直線部としての第２部位、２３…第３直線部としての第３部位、２４…第４直線部としての第４部位、２６…シール部材、Ｃ…中央、Ｌ…仮想線、Ｌ１…一端、Ｌ２…他端。
【図１】
2020102413.tif 000003
【図２】
2020102413.tif 000004
【図３】
2020102413.tif 000005
【図４】
2020102413.tif 000006
【図５】
2020102413.tif 000007
【図６】
2020102413.tif 000008
【図７】
2020102413.tif 000009
【図８】
2020102413.tif 000010
【図９】
2020102413.tif 000011
【図１０】
2020102413.tif 000012